(57)【特許請求の範囲】
【請求項１】
移動通信端末装置に対する操作を受け付ける操作部と、状態
や情報を表示する表示部と、着呼や前記移動通信端末装置の状態変化を報知する
報知部と、音声の入出力を行う入出力部と、無線通信の送受信を行う送受信部と
、情報や設定を保存するメモリと、前記各部の動作を制御する制御部とからなる
移動通信端末装置であって、
文字編集時に、音声認識機能により、前記メモリに登録された文字列の中から
前記入出力部に入力された音声に合致する音声認識語を持つ文字列の呼び出しを
行う手段と、
文字編集終了時に、以後の文字編集の際に音声認識機能による呼び出しのため
に、編集された文字列に対する音声認識語の登録を行う手段と、
文字編集時に、音声認識機能により、前記メモリに登録された文字列の中から
前記入出力部に入力された音声に合致する前記音声認識語を持つ文字列を呼び出
す際に、文字入力モードと、全角／半角の設定と、残り入力可能文字数と、文字編集領域での許容文字種との前記移動通信端末装置の文字編集の状態に応じて、予め候補の絞り込みを行い、使用でき、かつ必要な文字列のみを候補として表示する手段とを有する、音声認識による文字編集手段を有する移動通信端末装置。
【請求項２】
前記音声認識語の登録の際に、文字編集に関する機能ごとのフォルダ、又は前記文字編集に関する機能の詳細ごとのフォルダ、又は使用する文字種類ごとのフォルダに応じたフォルダに分類して登録を行う請求項１に記載の音声認識による文字編集手段を有する移動通信端末装置。
【請求項３】
文字編集時に、音声認識機能により、前記メモリに登録された文字列の中から前記入出力部に入力された音声に合致する前記音声認識語を持つ文字列の検索後に、前記フォルダを指定し、指定された前記フォルダの中の文字列から必要な文字列を選択する請求項２に記載の音声認識による文字編集手段を有する移動通信端末装置。
【発明の詳細な説明】
【０００１】
【発明の属する技術分野】
本発明は、移動通信端末装置に関し、特に、音声認識による文字編集手段を有する移動通信端末装置に関する。
【０００２】
【従来の技術】
携帯電話などの移動通信端末装置で、電子電話帳入力、メッセージ送信機能のメッセージ作成等の文字編集を行う場合には、ボタン数の限られた操作部にて漢字、ひらがな、カタカナ、英字、数字等の入力を行う必要があり、文字編集においては「より簡単に、より速く入力したい」というニーズが大きくなっていた。
【０００３】
また、上記問題の解決のために音声認識による文字列の呼び出し方法が提案されているが、今後、移動通信端末装置の高機能化により、移動通信端末装置で記憶する文字列も増加し、それに応じて音声認識により呼び出す文字列も増加すると予想される。
【０００４】
【発明が解決しようとする課題】
上記の場合、音声認識により呼び出された文字列が多数候補として挙げられ、採用する文字列の選択の段階で煩雑な操作が必要となる可能性があり、その場合には「簡単に速く」という音声認識の魅力を半減させることとなる。
【０００５】
本発明の目的は、より簡単に、より速く入力できる音声認識による文字編集手段を有する移動通信端末装置を提供することにある。
【０００６】
【課題を解決するための手段】
本発明の音声認識による文字編集手段を有する移動通信端末装置は、
移動通信端末装置に対する操作を受け付ける操作部と、状態や情報を表示する表示部と、着呼や前記移動通信端末装置の状態変化を報知する報知部と、音声の入出力を行う入出力部と、無線通信の送受信を行う送受信部と、情報や設定を保存するメモリと、前記各部の動作を制御する制御部とからなる移動通信端末装置であって、文字編集時に、音声認識機能により、メモリに登録された文字列の中から入出力部に入力された音声に合致する音声認識語を持つ文字列の呼び出しを行う音声認識による文字編集手段を有する。
【０００７】
また、文字編集終了時に、以後の文字編集の際に音声認識機能による呼び出しのために、編集された文字列に対する音声認識語の登録を行う上述の音声認識による文字編集手段を有してもよい。
【０００８】
また、文字編集時に、音声認識機能により、メモリに登録された文字列の中から入出力部に入力された音声に合致する音声認識語を持つ文字列を呼び出す際に、移動通信端末装置の文字編集の状態に応じて、使用でき、かつ必要な文字列のみを候補として表示する上述の音声認識による文字編集手段を有してもよい。
【０００９】
また、文字編集時に、音声認識機能により、メモリに登録された文字列の中から入出力部に入力された音声に合致する音声認識語を持つ文字列を呼び出す際に、文字入力モードと、全角／半角の設定と、残り入力可能文字数との移動通信端末装置の文字編集の状態に応じて、予め候補の絞り込みを行い、使用でき、かつ必要な文字列のみを候補として表示する上述の音声認識による文字編集手段を有してもよい。
【００１０】
また、音声認識語の登録の際に、文字編集に関する機能ごとのフォルダ、又は文字編集に関する機能の詳細ごとのフォルダ、又は使用する文字種類ごとのフォルダに応じたフォルダに分類して登録を行う上述の音声認識による文字編集手段を有してもよい。
【００１１】
また、文字編集時に、音声認識機能により、メモリに登録された文字列の中から入出力部に入力された音声に合致する音声認識語を持つ文字列の検索後に、フォルダを指定し、指定されたフォルダの中の文字列から必要な文字列を選択する上述の音声認識による文字編集手段を有してもよい。
【００１２】
本発明による「音声認識による文字編集手段を有する移動通信端末装置」は、音声認識機能により移動通信端末装置に登録されている文字列を１回あるいは複数回呼び出し、必要に応じて文字列の修正、及び文字列間／文字列前後に文字を追加することで、移動通信端末装置における文字編集の操作性の改善を可能とするものである。
【００１３】
文字編集を完了した文字列を保存する際には、音声認識語の登録音声認識登録を行い、以後の文字編集時に音声認識機能にて呼び出すことを可能としている。
【００１４】
また、音声認識機能実行時に、該当する文字列が複数ある場合などに対しては、移動通信端末装置の文字編集の状態に応じて、呼び出す文字列を限定することにより、使用者の意図に合った文字列の呼び出しを可能としている。
【００１５】
【発明の実施の形態】
（本発明の第１の実施の形態）
本発明の第１の実施の形態の構成について、図１を参照して説明する。
【００１６】
図１は、文字編集と編集された文字列の記憶する機能を有し、また、文字編集時に記憶された文字列を音声認識機能により呼び出す機能を持つ移動通信端末装置の一構成例を示している。
【００１７】
移動通信端末装置に対する操作を受け付ける操作部１１、状態や必要な情報を表示する表示部１２、着呼や端末装置の状態変化を報知する報知部１３、音声の入出力を行う入出力部１５、無線通信の送受信を行う送受信部１６、情報や設定を保存するメモリ１７とそれら各部の動作を制御する制御部１４からなる。
【００１８】
文字編集時には操作部１１にて文字入力操作を行い、入力された文字列を表示部１２に表示し、必要に応じて入力された文字列をメモリ１７に記憶する。
【００１９】
音声認識時には、操作部１１の操作により音声認識機能を起動させ、音声認識語を入出力部１５より入力、制御部１４にてメモリ１７に登録された文字列の音声認識語との照合を行い、該当する音声認識語を持つ文字列を表示部１２に表示する。
【００２０】
本発明の第１の実施の形態における文字入力方法の動作につき、図１、図２及び図３を参照して説明する。
【００２１】
電子電話帳機能やメッセージ作成機能等、文字編集に関する機能を起動後、漢字、ひらがな、カタカナ、英字、数字等、入力する文字の種類を選択する「文字入力モード選択」に移る。文字編集に関する機能の起動時には、その機能のデフォルトの文字入力モードとなっており、デフォルトの文字入力モードを使用する場合には、文字入力モード選択は行わない。また、文字入力モード選択では、操作部１１の操作ボタンにより変更するが、端末装置によっては、文字編集に関する機能を起動する前に文字入力モード選択の動作を行うことにより、文字編集に関する機能が起動される場合もある。
【００２２】
文字編集においては、操作部１１の操作により音声認識機能を起動させ、入出力部１５より音声認識語を音声で入力することにより、メモリ１７に登録されている文字列を呼び出し、呼び出された文字列の編集や、文字列の追加を行う。その後、必要があれば再度音声認識機能によりメモリ１７の文字列を呼び出す（Ｓ２０４）  。
【００２３】
音声認識による文字列の呼び出しでは  （Ｓ２０４）  、入出力部１５に入力された音声と合致する音声認識語を持つ文字列全てを一時的に候補とするが  （Ｓ３０１）  、以下の４項目の全てを満たす文字列のみを候補として表示部１２に表示する  （Ｓ３１０）  。
（１）音声認識機能起動時の文字入力モードにおいて、以下条件のうちの１件を満たしていること。
（ｉ）漢字／ひらがなモードの場合は、文字列に漢字、またはひらがなが含まれている  （Ｓ３０２）。
（ｉｉ）カタカナモードの場合は、文字列がカタカナを含み、漢字、またはひらがなを含まない  （Ｓ３０３）。
（ｉｉｉ）英字モードの場合は、文字列が英字を含み、漢字、ひらがな、カタカナを含まない  （Ｓ３０４）。
（ｖｉ）数字モードの場合は、文字列が数字、＃  （シャープ）  、＊  （アスタリスク）、ｐ  （ポーズ）  のみで構成されている  （Ｓ３０５）。
（２）音声認識機能起動時の文字入力が半角設定されていた場合に、候補文字列が半角のみで構成されていること  （Ｓ３０６、Ｓ３０７）。
（３）候補文字列の文字数が、文字編集の残り入力可能文字数より少ないこと  （Ｓ３０８）。
（４）候補文字列が、電子電話帳、メッセージ作成等の文字編集領域で許容されている文字のみで構成されている／入力できない文字を使用していないこと  （Ｓ３０９）。
【００２４】
その後、表示された候補のうち１文字列を選択し（Ｓ３１２）  、文字編集を続行する。
【００２５】
文字編集終了の際には  （Ｓ２０５）  、入力された文字列を保存するか否かを選択し  （Ｓ２０６）、保存する場合には文字列をメモリ１７に記憶し  （Ｓ２０７）、保存しない場合には文字列を破棄し  （Ｓ２０８）、文字編集を終了させる  （Ｓ２１１）  。
【００２６】
保存された文字列に対しては、音声認識にて呼び出しを行うか否かの設定を行い  （Ｓ２０９）  、呼び出しを行う場合には音声認識語の登録  （音声認識登録）  を行った後に  （Ｓ２１０）  、文字編集を終了する  （Ｓ２１１）  。呼び出しを行わない場合には、音声認識語の登録せずに文字編集を終了させる  （Ｓ２１１）  。
【００２７】
音声認識語の登録については、文字編集を終了させた後でも、メモリ１７に保存された文字列のうち音声認識未登録であるものに対しては登録を可能とし、音声認識登録されている文字列に対しては登録の解除を行える。
【００２８】
（本発明の第２の実施の形態）
本発明の第２の実施の形態につき、図２、図３、図４、及び図５を参照して説明する。
【００２９】
文字編集を終了し  （Ｓ２０５）  、文字列の保存を行った後  （Ｓ２０６）  、音声認識語の登録を行うが  （Ｓ２０９、Ｓ４０１）  、その際にフォルダ指定を行う（Ｓ４０２  ）。
【００３０】
フォルダは、電子電話帳、メッセージ作成等、文字編集に関する機能ごとか、それら機能を更に詳細にわけ、その詳細機能ごとでの分類、あるいは漢字、ひらがな、カタカナ、英字、数字など、使用する文字種類ごとの分類等、端末装置の文字編集機能に応じた分類を行う。
【００３１】
フォルダ指定の際には、上記の様なフォルダの属性と、音声認識登録を行う文字列の内容が合致するかの判定を行い  （Ｓ４０３）  、合致する場合には音声認識登録後  （Ｓ４０４）  、文字編集終了を行い  （Ｓ４０５）  、合致しない場合には再度フォルダ指定を行う。
【００３２】
文字編集時での音声認識機能による文字列の呼び出しでは、入力音声と合致する音声認識語を持つ文字列を検索し  （Ｓ５０１）  、検索後にはフォルダの一覧を表示させ  （Ｓ５０２）  、フォルダを指定することにより  （Ｓ５０３）  フォルダの中の音声認識機能により検索された文字列のみを表示する  （Ｓ５０４）  。
【００３３】
その後表示された文字列のうち１文字列を選択し（Ｓ５０５）、呼び出された文字列を使って文字編集を行う。
【００３４】
これにより、ユーザの使い方に合わせて、必要な文字列のみを音声認識機能により呼び出すことが可能となり、文字編集の操作性を改善できる。
【００３５】
【発明の効果】
以上説明したように、本発明の音声認識による文字編集手段により、一度作成した文字列について、文字編集時に音声認識機能を用いて素早く簡単に引用することが可能となり、音声認識機能により呼び出した複数の文字列の組み合わせと、それらの修正、追加といった文字編集方法を行うことにより、文字編集時における操作性の改善をはかることが可能となるという効果がある。
【００３６】
これは、移動通信端末装置のような、大きさが限定され文字編集時に複雑な操作を要する端末装置に対しては非常に有効である。
【００３７】
また、音声認識により呼び出す文字列が増加し、１音声認識語に対して複数の文字列を対応させる場合には、文字入力モードや、全角／半角の設定、残り入力可能文字数等の文字編集の状態に応じて予め候補の絞り込みを行い、必要な文字列のみを候補として表示させることで、音声認識機能の「簡単に速く」というメリットを失うことなく、多数の文字列を音声認識機能にて呼び出すことが可能となる。
【図面の簡単な説明】
【図１】本発明の移動通信端末装置の第１の実施の形態の構成図である。
【図２】本発明の文字編集における基本フロー図である。
【図３】本発明の文字編集における音声認識機能実行時の候補絞り込みフロー図である。
【図４】本発明の移動通信端末装置の第２の実施の形態のフォルダ指定を示すフロー図である。
【図５】本発明の移動通信端末装置の第２の実施の形態のフォルダの指定による文字列の選択を示すフロー図である。
【符号の説明】
１１        操作部
１２        表示部
１３        報知部
１４        制御部
１５        入出力部
１６        送受信部
１７        メモリ
【図１】
0003543931.tif 000002
【図２】
0003543931.tif 000003
【図３】
0003543931.tif 000004
【図４】
0003543931.tif 000005
【図５】
0003543931.tif 000006